(57)【要約】【課題】    パネル計器をパネルに取り付ける取付部材がパネル計器のフック取付穴から脱落しないパネル計器の取付装置を提供する。【解決手段】    パネル計器をパネルに取り付けるパネル計器の取付装置において、  前記パネル計器に取り付けられ、ねじが螺合され、このねじを前記パネルに押し当てて前記パネル計器を固定する取付部材と、  この取付部材に略Ｌ字状に形成され、前記パネル計器の取付穴に挿入される取付フックと、  この取付フックに形成され、前記取付穴より幅が広く形成された第１の突起と  を備える。【選択図】                    図１
2010121993.tif 000002
【特許請求の範囲】
【請求項１】
パネル計器をパネルに取り付けるパネル計器の取付装置において、
前記パネル計器に取り付けられ、ねじが螺合され、このねじを前記パネルに押し当てて前記パネル計器を固定する取付部材と、
この取付部材に略Ｌ字状に形成され、前記パネル計器の取付穴に挿入される取付フックと、
この取付フックの側面端部に形成され、前記取付穴よりやや幅が広くなるように形成された一対の第１の突起と
を備えることを特徴とするパネル計器の取付装置。
【請求項２】
前記取付フックは、前記取付部材を前記取付穴に挿入した状態で前記パネルから遠ざかる方向にスライドさせたときに前記パネル計器の上面又は底面を形成する板部に係合することを特徴とする請求項１記載のパネル計器の取付装置。
【請求項３】
前記第１の突起は、上下に前記取付装置と平行に面取りがされていることを特徴とする請求項１又は２に記載のパネル計器の取付装置。  
【請求項４】
前記第１の突起の幅は、０．０３ｍｍ〜０．３ｍｍであることを特徴とする請求項１乃至３のいずれかに記載のパネル計器の取付装置。
【請求項５】
前記取付部材は、前記取付フックが形成された面に第２の突起が形成され、この第２の突起は前記パネル計器の取付穴が形成された面に形成されたスライド穴に挿入されることを特徴とする請求項１乃至４のいずれかに記載のパネル計器の取付装置。
【請求項６】
前記取付フックは、合成樹脂で形成されることを特徴とする請求項１乃至５のいずれかに記載のパネル計器の取付装置。
【発明の詳細な説明】
【技術分野】
【０００１】
本発明は、電力モニタ，温度調節計等のパネル計器をパネルに取り付けるパネル計器の取付装置に関し、特にパネル計器をパネルに取り付ける取付部材がパネル計器のフック取付穴から脱落しないパネル計器の取付装置に関する。
【背景技術】
【０００２】
一般に、電力モニタ，温度調節計等のパネル計器は、取付部材を用いてパネルに取り付けられる。また、この取付部材はパネル計器の上面及び底面から取付けられる。この様なパネル計器の取付装置の先行技術文献としては次のようなものがある。
【０００３】
【特許文献１】特開２００７―１３２８２７号公報
【０００４】
以下、図３を参照してパネル計器の取付装置を説明する。図３は、従来のパネル計器の取付装置の斜視図である。上部取付部材１０は、パネル計器３１の上面からパネル計器３１をパネル３０に固定するものであり、図示しないフック部１１，１２がパネル計器３１の取付穴３２，３３に挿入される。
【０００５】
下部取付部材２０は、パネル計器３１の底面からパネル計器３１をパネル３０に固定するものであり、フック部２１，２２がパネル計器３１のフック取付穴３２，３３の対面に形成された図示しない取付穴に挿入される。
【０００６】
また、これら上部取付部材１０及び下部取付部材２０がパネル計器３１に取り付けられた後、ドライバ４０を上部取付部材１０及び下部取付部材２０に挿入し、後述する図４で説明されるねじをパネル３０の方向に螺合することにより、ねじの端面がパネル３０に当接し、パネル機器３１がパネル３０に固定される。
【０００７】
図４は上部取付部材１０の構成図であり、向かって左側がパネル３０側である。また、図４（Ａ）は平面図，（Ｂ）は右側面図，（Ｃ）は（Ａ）のＡ−Ａ断面図である。
【０００８】
図４（Ａ）において、上部取付部材１０の溝５１には、ねじ５０が設けられ、更に溝５１の底面には（Ｃ）に示すとおりフック部１１，１２が形成されている。
【０００９】
ここで、フック部１１，１２はＬ字型に形成されているため、図３のフック取付穴３２，３３に挿入された後、上部取付部材１０をパネル３０から遠ざかる方向にスライドさせると、パネル計器３１の上面を形成する板部と嵌合し、上部取付部材１０の脱落が防止される。
【００１０】
更に、この脱落防止措置は、下部取付部材２０についても同様に行われ、図３のフック部２１，２２をパネル計器３１の底面を形成する板部の図示しないフック取付穴に挿入し、パネル３０から遠ざかる方向にスライドさせることにより脱落が防止される。また、下部取付部材２０についても、上部取付部材１０と同様に、形成された溝にねじが設けられている。
【００１１】
図５は、上部取付部材１０に形成されたフック部１１とパネル計器３１の上面を形成する板部との嵌合の様子を示した図面である。また、図５（Ａ）は嵌合前，（Ｂ）は嵌合中，（Ｃ）は嵌合後の様子を示している。
【００１２】
フック部１１の幅は、パネル計器３１の上面の取付穴３２よりも狭く形成されている。したがって、上部取付部材１０を取付穴３２の上で開放すると、図５（Ｂ）を介して図５（Ｃ）の様に嵌合される。
【００１３】
このように、パネル計器３１をパネル３０に取り付ける際は、上部取付部材１０及び下部取付部材２０が利用される。
【発明の開示】
【発明が解決しようとする課題】
【００１４】
ところで、図４（Ａ）のねじ５０をパネル３０の方向に螺合すると、ねじ５０が取り付けられた上部取付部材１０も、ねじ５０とともにパネル側に移動する。但し、上部取付部材１０に関しては、パネル計器３１が支えとなるため、パネル計器３１を誤って傾けない限り、パネル３０への取付作業中に上部取付部材１０が脱落することはない。
【００１５】
しかし、下部取付部材２０に関しては、溝に設けられたねじをパネル３０の方向に螺合すると、ねじが取り付けられた下部取付部材２０も、ねじとともにパネル側に移動するため、図６のように下部取付部材２０に形成されたフック部２１がパネル計器３１のフック取付穴３４から脱落する。
【００１６】
このため、下部取付部材２０を取り付ける際は、フック２１をパネル計器３１の底面を形成する板部に嵌合した状態で、下部取付部材２０を指で下から押さえつけ、ねじとともに下部取付部材２０がパネル３０側に移動することを防止していた。
【００１７】
ところが、パネル計器３１は狭い間隔でパネル３０に複数台取り付けられることが多いため、両隣に他のパネル計器がある場合には、下部取付部材２０を指で下から押さえつけることが極めて困難となる。この場合、下部取付部材２０が脱落し易くなり、作業効率が低下する。
【００１８】
本発明は、これらの問題点に鑑みてなされたものであり、パネルを取り付ける取付部材がパネル計器のフック取付穴から脱落しないパネル計器の取付装置を提供することを目的とする。
【課題を解決するための手段】
【００１９】
この様な課題を達成するために本発明は次の構成を備える。
（１）パネル計器をパネルに取り付けるパネル計器の取付装置において、
前記パネル計器に取り付けられ、ねじが螺合され、このねじを前記パネルに押し当てて前記パネル計器を固定する取付部材と、
この取付部材に略Ｌ字状に形成され、前記パネル計器の取付穴に挿入される取付フックと、
この取付フックの側面端部に形成され、前記取付穴よりやや幅が広くなるように形成された一対の第１の突起と
を備えることを特徴とする取付装置。
（２）前記取付フックは、前記取付部材を前記取付穴に挿入した状態で前記パネルから遠ざかる方向にスライドさせたときに前記パネル計器の上面又は底面を形成する板部に係合することを特徴とする請求項１記載のパネル計器の取付装置。
（３）前記第１の突起は、上下に前記取付装置と平行に面取りがされていることを特徴とする請求項１又は２に記載のパネル計器の取付装置。  
（４）前記第１の突起の幅は、０．０３ｍｍ〜０．３ｍｍであることを特徴とする請求項１乃至３のいずれかに記載のパネル計器の取付装置。
（５）前記取付部材は、前記取付フックが形成された面に第２の突起が形成され、この第２の突起は前記パネル計器の取付穴が形成された面に形成されたスライド穴に挿入されることを特徴とする請求項１乃至４のいずれかに記載のパネル計器の取付装置。
（６）前記取付フックは、合成樹脂で形成されることを特徴とする請求項１乃至５のいずれかに記載のパネル計器の取付装置。
【発明の効果】
【００２０】
本発明では次のような効果がある。取付部材のフック部にフック取付穴からの脱落を防止する突起を形成したので、パネルを取り付ける取付部材がパネル計器のフック取付穴から脱落しない。
【発明を実施するための最良の形態】
【００２１】
以下、図１を参照して本発明によるパネル計器の取付装置を説明する。ここで、図１（Ａ）は嵌合前の状態，（Ｂ）は嵌合中の状態，（Ｃ）は嵌合後の状態を示した図面である。尚、本発明の斜視図は図３と同様の構成となる。すなわち、本発明は後述する一対の突起２１１をフック部２１０に設けたことを特徴とする。
【００２２】
また、図１（Ａ）において、パネル計器のケース１００の上面及び底面を形成する板部には、フック取付穴１１０が形成される。取付部材２００には略Ｌ字状のフック部２１０が形成され、フック部２１０の側面端部には一対の突起２１１が一体形成されている。
【００２３】
また、突起２１１が形成される位置は、ケース１００の上面又は底面を形成する板部の幅よりも取付部材２００から離れた位置に形成される。
【００２４】
更に、この突起２１１は、フック取付穴１１０よりも幅がやや広くなるように形成され、かつ例えばプラスチック等の合成樹脂が使用される。ここで、幅がやや広いとは樹脂の弾性により範囲が異なるが、例えばポリカーボネートの場合０．１ｍｍ前後が好ましく、０．０３ｍｍ〜０．３ｍｍ程度でも差し支えない。
【００２５】
また、突起２１１の上下には面取りが形成されており、突起２１１を抜き差しし易い構造となっている。
【００２６】
このため、フック取付穴１１０への挿入時は、指で圧力を加えることにより、図１（Ｂ）のように突起２１１の下に形成された面取りで滑るようにフック取付穴１１０に挿入される。また、一度図１（Ｃ）の様に嵌合されると、突起２１１がケース１００の上面を形成する板部の縁に係合し、取付部材２００とケース１００が半固定状態となる。
【００２７】
一方、この半固定状態からパネル計器を取り外す場合には、取付部材２００を指等で挟んで力を加えて引き抜く。
【００２８】
したがって、突起２１１は例えば合成樹脂のような弾性材料が好ましく、例えば鋼のように人間の力では容易に変形できない剛性部材は、原則として突起２１１を形成するフック部２１０の材料には適さない。
【００２９】
但し、フック部２１０に剛性部材を用いた場合でも、ケース１００の上面及び底面を形成する板部に弾性材料を用いれば足りる。
【００３０】
すなわち、フック部２１０又はケース１００の上面及び底面を形成する板部の少なくともいずれか一方に弾性部材を用いれば、本発明を適用できる。
【００３１】
このように、本発明によれば、取付部材２００のフック部２１０にフック取付穴１１０からの脱落を防止する突起２１１を形成したので、パネル計器を取り付ける取付部材２００がパネル計器のフック取付穴から脱落しない。したがって、下から指等で取付部材２００を押さえずして、ねじを締めることができ、作業効率が向上する。
【００３２】
次に、図２を参照して、ケース１００に取付部材２００を取り付ける方法を説明する。取付部材２００のフック部２１０をフック取付穴１１０に挿入する。ここで、フック部２１０をフック取付穴１１０に挿入する際は図１（Ａ）〜（Ｃ）で説明したたように挿入される。
【００３３】
続いて、取付部材２００をパネルから遠ざかる方向にスライドさせる。この際、取付部材２００の突起２１２（第２の突起）は、フック取付穴１１０の延長線上に形成された突起スライド穴１１１に沿って移動するので、取付部材２００が左右にずれることがない。そして、略Ｌ字型のフック部は２１０がケース１００の上面及び底面を形成する板部に嵌合する。
【００３４】
尚、本実施例ではケース１００に上面から取り付ける取付部材２００を例に説明したが、底面から取り付ける場合についても同様である。
【００３５】
また、本発明の実施例によれば取付フックの数は１つのものを用いたが２つ以上でも差し支えない。また、突起に使用する材料は、弾性材料であれば必ずしも合成樹脂である必要はなく、例えばばねを用いても差し支えない。
【００３６】
また、本発明の突起２１１は取り外しを繰り返すと磨耗するが、パネル計器の交換頻度は低いため、問題とならない。
【図面の簡単な説明】
【００３７】
【図１】本発明のパネル計器の取付装置の構成図である。
【図２】ケース１００と取付部材２００の取付方法の説明図である。
【図３】従来のパネル計器の取付装置の斜視図である。
【図４】（Ａ）は上部取付部材１０の平面図，（Ｂ）は右側面図，（Ｃ）はＡ−Ａ断面図である。
【図５】上部取付装置１０とパネル計器３１の取り付け方法を説明する図面である。
【図６】下部取付装置２０がパネル計器３１のフック取付穴３２から脱落する様子を示した図面である。
【符号の説明】
【００３８】
１００    ケース
１１０    ケース取付穴
１１１    突起スライド穴
２００    取付部材
２１０    フック部
２１１    フック部
２１１    突起（第１の突起）
２１２    突起（第２の突起）
【図１】
2010121993.tif 000003
【図２】
2010121993.tif 000004
【図３】
2010121993.tif 000005
【図４】
2010121993.tif 000006
【図５】
2010121993.tif 000007
【図６】
2010121993.tif 000008